(57)【特許請求の範囲】
【請求項１】
遊技媒体による遊技が可能とされた遊技機に配置されて、音声演出を行うスピーカユニットであって、
通電に基づく音声発生動作によって前記音声演出を行うスピーカと、
該スピーカの振動板上に配置されて該スピーカの振動を検知する振動検知部と、
該振動検知部による検知結果に基づいて前記スピーカの動作が正常であるか否かを判断し、動作異常と判断した場合に報知信号を送信する制御部と、を有するスピーカユニット。
【請求項２】
前記制御部が、前記報知信号を前記遊技機の外部に向けて送信する請求項１に記載のスピーカユニット。
【請求項３】
前記遊技媒体による遊技を実現する遊技領域が形成された遊技装置体と、
前記遊技領域が視認可能となるように前記遊技装置体を収容する枠体と、
前記遊技装置体に対して一定距離以上離間して配置された前面透明板と、
請求項１又は請求項２に記載のスピーカユニットと、を有する遊技機。
【請求項４】
前記遊技領域に配置されて、前記報知信号に基づいて異常を報知するための報知画像を表示する画像表示部をさらに有する請求項３に記載の遊技機。
【請求項５】
所定条件成立時に前記遊技媒体の払出しを行う払出装置と、
前記報知信号を取得した際に、前記払出装置による前記遊技媒体の払出しを禁止する払出制御部と、をさらに有する請求項３に記載の遊技機。
【請求項６】
前記遊技媒体を前記遊技装置体の上部に向けて発射する発射ユニットと、
前記報知信号を取得した際に、前記発射ユニットによる遊技媒体の発射を禁止する発射制御部と、をさらに有する請求項３に記載の遊技機。
【発明の詳細な説明】
【技術分野】
【０００１】
本発明は、スピーカユニット、遊技機に係り、特にスピーカの動作異常を検知して、不正行為を未然に防止することができるスピーカユニット等に関する。
【背景技術】
【０００２】
パチンコ機においては、弾球された球が遊技領域（遊技盤面上又はその近傍に形成された領域であって、球の流下による遊技や演出を実現するための領域。）を流下して、その流下の過程で球が遊技領域内のゲージ（障害釘ともいう。）や羽根車に衝突しつつ転回して流下方向が変化する。その結果、遊技領域上に配置された各種入賞口に球が入賞すれば所定の景品としての球が払い出され、一方いずれの入賞口にも入賞せずアウト口に球が流入すれば景品としての球は払い出されない。遊技者は、弾球における自らの技量を発揮して、又は球の流下における偶然性を利用しつつ球の入賞及び景品の払出しを期待し、遊技を楽しむのである。
【０００３】
パチンコ機には、様々な装飾部材も取り付けられており、遊技の演出をより一層効果的なものとしている。例えば、パチンコ機の前面側や遊技盤面上には、多種多様な電飾（電球やＬＥＤ等。）や可動物が配置され、遊技の状況に応じて様々に動作したり点灯や点滅をしたりしている。また、パチンコ機の前面側にはスピーカも配置され、遊技の状況に応じて様々な音声（効果音や音楽を含む。）を発生して、遊技を盛り上げるための音声演出を行っている。
【０００４】
このパチンコ機においては、従来から遊技者による不正行為が問題となっている。例えば筐体枠の隙間から内部にピアノ線等の異物を侵入させ、内部の部品や機器を損壊したり、景品としての球を不正に入手したりすることが行われている。その他にも、不正に磁場や電波を発生させてパチンコ機内部のセンサや電子機器に悪影響を与えて景品としての球を多量に入手することも行われている。
【０００５】
これらの不正行為を防止するため、パチンコ機には様々な不正検出手段が設けられている。例えば、磁石や電波発信機を用いて行う不正を検知するものとして特許文献１に開示のものがある。
【０００６】
【特許文献１】特開２００２−２７３０１７号公報
【発明の開示】
【発明が解決しようとする課題】
【０００７】
このような不正検出手段が不正行為者の不正行為を検出すると、スピーカが警告音を発し、付近の遊技者や遊技機ホールのホール員に報知されるようになっている。スピーカからの警告音発生により不正行為の早期発見を可能とし、ひいては不正行為を未然に防止しているのである。しかし、近年ではスピーカを予め破壊して、警告音の発生を不可能にしてから不正行為を行い、不正行為が発見されるのを防いだり、不正行為の発見を遅れさせて、その間に景品を不正に獲得したりすることが行われるようになっている。
【０００８】
つまり、遊技機におけるスピーカの破壊行為は、その行為自体が直接的に景品の不正獲得にはつながらないものの、不正行為の準備段階として行われる行為であるといえる。
【０００９】
本発明は、上記の事情に鑑みて為されたもので、不正報知を行うことができるスピーカが破壊されたことを検知することで、不正行為の早期発見、未然防止を図ることができるスピーカユニット、遊技機を提供することを例示的課題とする。
【課題を解決するための手段】
【００１０】
上記の課題を解決するために、本発明の例示的側面としてのスピーカユニットは、遊技媒体による遊技が可能とされた遊技機に配置されて、音声演出を行うスピーカユニットであって、通電に基づく音声発生動作によって音声演出を行うスピーカと、スピーカの動作を検知する検知部と、検知部による検知結果に基づいてスピーカの動作が正常であるか否かを判断し、動作異常と判断した場合に報知信号を送信する制御部と、を有する。
【００１１】
スピーカの動作異常を検知して報知信号を送信することができるので、スピーカが動作異常であることをホール員等に早期に把握させることができる。したがって、スピーカの破壊が行われた場合であっても、そのことをホール員等に早期に把握させて、不正行為を未然に防止することができる。ここで、スピーカの動作異常とはスピーカから十分な音声発生を行うことができない状態をいい、例えば、スピーカの振動板が破れている場合や、スピーカへの配線ケーブルが断線している場合が挙げられる。スピーカの破壊は、スピーカの音声発声機能を損なわせるべくスピーカの振動板を破いたり、スピーカへの配線ケーブルを切断したりすることによって行われるものであり、スピーカの動作異常を検知し報知することで、スピーカの破壊を把握することができるのである。
【００１２】
また、スピーカの動作異常は、破壊によってだけでなく故障によっても発生しうる。スピーカの動作異常が報知されることで、スピーカの故障の早期把握・早期復旧が可能となる。したがって、遊技機に対して不正行為が行われた際に、スピーカが故障しているために音声報知をすることができないといった不具合を未然に防止することができる。
【００１３】
検知部が、例えばスピーカに対する通電時にスピーカへの送電線から電流を検知できない場合やスピーカから発生される音声を検知できない場合、又はスピーカの振動板の振動を検知できない場合等にスピーカの動作異常を検知することで、上述したようなスピーカの破壊や故障を早期に把握することができる。
【００１４】
制御部が、報知信号を遊技機の外部に向けて送信するものであってもよい。報知信号が遊技機の外部に向けて送信するので、スピーカの動作異常を遊技機の外部に報知することができる。例えば、複数の遊技機が整列配置される島設備に警告灯を設けてその警告灯に報知信号を送信して点灯させるようにすれば、ホール員に対して警告灯によってスピーカの動作異常を把握させることができる。また、遊技機ホール全体を中央管理するホールコンピュータに向けて報知信号を送信すれば、複数の遊技機におけるスピーカの動作異常を一括管理することができる。報知信号を受信した際にホールコンピュータのディスプレイ等に異常報知がなされるようにすれば、複数の遊技機におけるスピーカの動作異常を一箇所で確実に把握することができるようになる。
【００１５】
本発明の他の例示的側面としての遊技機は、遊技媒体による遊技を演出する遊技装置体と、遊技領域が視認可能となるように遊技装置体を収容する枠体と、遊技装置体に対して一定距離以上離間して配置された前面透明板と、上記スピーカユニットと、を有する。
【００１６】
遊技機が、スピーカの動作異常を検知して報知信号を送信できるスピーカユニットを有するので、この遊技機は破壊や故障によるスピーカの動作異常を報知し、ホール員等に早期に把握させることができる。したがって、スピーカの破壊の早期把握による、不正行為の未然防止が可能となる。また、スピーカの故障の早期把握・早期復旧によって、不正行為が行われた際に、スピーカが故障しているために音声報知をすることができないといった不具合を未然に防止することもできる。
【００１７】
遊技領域に配置されて、報知信号に基づいて異常を報知するための報知画像を表示する画像表示部をさらに有していてもよい。
【００１８】
画像表示部に報知画像を表示することができるので、スピーカの動作異常を遊技者に対して視覚的に報知することができる。例えば、遊技者がスピーカを破壊した際に、画像表示部に報知画像として例えば「異常発生です。」といった表示がなされれば、その後の不正行為を行いにくくすることができ、不正行為を未然に防止することができる。
【００１９】
特に近年では、遊技装置体には興趣性向上の観点等から比較的大きなサイズの画像表示部が設けられるようになっており、その画像表示部に報知画像を表示すれば、その遊技機で遊技する遊技者のみならず、付近の遊技者やホール員に対してもスピーカの動作異常を把握させることができ、不正行為の抑止効果をより一層高いものとすることができる。
【００２０】
所定条件成立時に前記遊技媒体の払出しを行う払出装置と、報知信号を取得した際に、払出装置による遊技媒体の払出しを禁止する払出制御部と、をさらに有していてもよい。
【００２１】
払出装置による遊技媒体の払出しが禁止されるので、不正行為の準備行為としてスピーカが破壊された場合であっても、その後の不正行為によって景品としての遊技媒体が不正に獲得されることを防止することができる。
【００２２】
遊技媒体を遊技装置体の上部に向けて発射する発射ユニットと、報知信号を取得した際に、発射ユニットによる遊技媒体の発射を禁止する発射制御部と、をさらに有していてもよい。
【００２３】
発射ユニットによる遊技媒体の発射が禁止されるので、不正行為の準備行為としてスピーカが破壊された場合に、遊技継続を不可能とすることができる。したがって、スピーカが破壊された後に、例えば遊技装置体に設けられた入賞口を不正行為により遊技媒体が入賞しやすいように操作しても、遊技媒体を発射することができないため、その入賞口に遊技媒体を入賞させて遊技媒体を不正に獲得することを防止することができる。
【００２４】
本発明の更なる目的又はその他の特徴は、以下添付図面を参照して説明される好ましい実施の形態によって明らかにされるであろう。
【発明の効果】
【００２５】
本発明によれば、遊技機に設けられるスピーカの動作異常を検知した際に報知信号を送信することで、不正行為の準備段階として行われるスピーカの破壊やスピーカの故障を、周囲の遊技者や遊技機ホールのホール員が早期に把握できるようにし、その後に行われる不正行為の早期発見、未然防止を図ることができる。
【発明を実施するための最良の形態】
【００２６】
［実施の形態１］
以下、本発明の実施の形態１について図面を用いて説明する。図１は、本発明の実施の形態１に係る遊技機としてのパチンコ機２の外観を示す外観斜視図である。パチンコ機２は、筐体枠（枠体）４、機枠（枠体）６、皿枠（枠体）８、遊技盤（遊技装置体）１０、前面ガラス（前面透明板）１８、装飾枠（枠体）２０、を有している。なお、筐体枠４、機枠６、皿枠８、装飾枠２０が協働して、後述する遊技領域６ｂが視認可能となるように遊技盤６を収容する枠体としての機能を発揮している。
【００２７】
パチンコ機２は、組合せ式パチンコ機、封入循環式パチンコ機等を含む。また、遊技機としてはパチンコ機の他に、スロット機、ゲーム機、アーケードマシン等が概念できる。封入循環式パチンコ機であれば、遊技媒体及び景品には、所定個数の球（遊技媒体）３６を発射するため（遊技を行うため。）に投入され、遊技結果に応じて遊技者に向けて払い出されるメダルが相当する。
【００２８】
筐体枠４は、このパチンコ機２を囲むための枠体であり、平面視略長方形に構成されている。材料としては、木材が用いられることが多いが、他に樹脂やアルミ等の金属が用いられることもある。筐体枠４は、パチンコ機２の上下面及び左右側面を囲い、前面（すなわち、遊技者側。）から見て左側面側には機枠６及び装飾枠２０を揺動支持するためのヒンジ部（揺動支持部）２２が設けられている。
【００２９】
機枠６は、遊技盤１０を保持するための枠体であり、その中央近傍に遊技盤１０を取り付けるための取付け開口が形成されている。取付け開口の周囲に遊技盤１０を着脱可能に取り付けるための取付け部を有し、機枠６は遊技盤１０の周囲を囲むように構成されている。その機枠６は、筐体枠４の前面側に配置されてヒンジ部２２において筐体枠４に揺動支持され、筐体枠４に対して前面開閉可能とされている。
【００３０】
機枠６は、樹脂又は金属によって形成され、その後面側には裏機構盤（図示せず。）が配置される。その裏機構盤には、入賞球を計数して排出処理する入賞球処理装置（図示せず。）、景品としての球３６を計数して払い出す景品球払出装置（払出装置）（図示せず。）等が配置されている。景品球払出装置は、図示しない払出制御基板（払出制御部）によって制御されるようになっている。
【００３１】
機枠６には、発射ユニット（図示せず。）も取り付けられている。発射ユニットは、球供給装置によって送り出されて球発射位置に停止保持される球３６を遊技領域１０ｂの上部に向けて発射（弾球）するためのものである。発射ユニットは、例えば球発射位置に送り出された球３６を遊技領域１０ｂに向けて弾球する発射杆、その発射杆を駆動して弾球往復動を行わせる発射モータ、発射杆を付勢して弾球のための力を発生させる発射バネ等を有してユニット構成されている。なお、発射ユニットは、図示しない発射制御基板（発射制御部）によって制御されるようになっている。
【００３２】
皿枠８は、機枠６の前面側下方に配置され、ヒンジ部２２を介して筐体枠４に前面開閉可能に軸支された枠部材である。皿枠８は、上皿１４ａ、下皿１４ｂ、発射ハンドル４２を有して構成されている。
【００３３】
上皿１４ａは、球３６を球発射装置に導くべく貯留するためのもので、下皿１４ｂとともに遊技者の持ち球を貯留する機能を有する。上皿１４ａは、景品としてパチンコ機２から払い出された球３６を受け取る機能や、その球３６を、球供給装置を介して球発射装置に導くべく貯留する機能も有している。
【００３４】
上皿１４ａは、皿枠８の前面側に突出して、その上面が開放した形状で形成されており、遊技を行うために球３６をその上面から投入可能となっている。下皿１４ｂは、その上皿１４ａの下方に配置されている。遊技者が遊技を終了する場合には、上皿１４ａに貯留された球３６を球排出ボタン１４ｃによって下皿１４ｂへと排出することができるようになっている。
【００３５】
本実施の形態１においては、上皿１４ａと下皿１４ｂとを別々に構成しているが、もちろん上皿１４ａと下皿１４ｂとが一体となって１つの球皿が構成されていてもよい。
【００３６】
発射ハンドル４２は、球発射装置による弾球強度を調整するためのハンドルであって、遊技者が手で操作するためのものである。例えば、パチンコ機２の前面下部右側に配置されて略円筒形状を呈しており、保持部４３によって回転可能に保持されている。遊技者は、発射ハンドル４２を手で保持しつつ、回転させることにより、球３６の発射強度を調整することができるようになっている。
【００３７】
遊技盤１０は、このパチンコ機２において、遊技媒体としての球３６の流下による遊技を実現するためのものであり、その表面の遊技盤面１０ａ上には遊技領域１０ｂが形成されている。遊技盤面１０ａには、略円形状に周囲を囲むようにレール飾り２４が取り付けられ、遊技領域１０ｂは、このレール飾り２４の内側に形成された内側面２４ａによって囲まれている。
【００３８】
その遊技領域１０ｂ内には多数のゲージ（図示せず。）、普通入賞口２６、始動入賞口２８、大入賞口３０、アウト口３２、その他の各種役物が配置されている。また、遊技領域１０ｂの略中央に画像表示装置３４が配置されている。なお、ゲージは遊技領域１０ｂを流下する球３６の流下方向を変化させるためのものであるが詳細は省略する。
【００３９】
普通入賞口２６は、遊技領域１０ｂの複数箇所に形成された入賞口であり、球３６が普通入賞口２６に入賞した際（所定条件の成立時。）に所定個数の球３６が景品として払い出されるようになっている。
【００４０】
始動入賞口２８は、遊技領域１０ｂの中央下方部に形成されている。本実施の形態１においては、始動入賞口２８のさらに下方に大入賞口３０が形成されている。大入賞口３０のすぐ下方には、アウト口３２が形成されている。
【００４１】
始動入賞口２８は、遊技領域１０ｂの中央部下方に形成された入賞口である。球３６が始動入賞口２８に入賞すると、画像表示装置３４に表示されている変動用の図柄が、変動を開始するようになっている。また、始動入賞口２８に球３６が入賞した際（所定条件の成立時。）にも所定個数の球が景品として払い出される。
【００４２】
大入賞口３０は、球３６を受け入れやすい（入賞しやすい。）開状態と、球３６を受け入れにくい（入賞しにくい。）閉状態とに可変とされている。大入賞口３０を開閉制御は、例えば画像表示装置３４の表示態様に基づいて行われ、本実施の形態１に係るパチンコ機２では、画像表示装置３４に特定の態様「７・７・７」が停止表示されると大入賞口３０が開状態とされ球３６を受け入れやすくなるように構成されている。大入賞口３０に球３６が入賞した際（所定条件の成立時。）にも所定個数の球が景品として払い出されるようになっている。
【００４３】
アウト口３２は、遊技領域１０ｂの中央最下端近傍に形成された開口であり、遊技領域１０ｂの最下端まで流下した球３６、すなわちいずれの入賞口２６，２８，３０にも入賞しなかった球３６を流入させるためのものである。アウト口３２に流入した球３６は、パチンコ機２の外部に排出されるようになっている。
【００４４】
球発射装置により球３６が遊技領域１０ｂ内の上部に向けて発射されると、球３６がゲージに衝突してその流下方向を変えつつ遊技領域１０ｂ内を流下するようになっている。その流下の途中で、あるものは普通入賞口２６に入賞して球の払出しの契機となり、あるものは始動入賞口２８に入賞して画像表示装置３４による図柄の変動開始の契機となり、また、あるものはいずれの入賞口２６，２８，３０にも入賞せずにアウト口３２からパチンコ機２の外部へと排出される。
【００４５】
画像表示装置３４は、変動用の図柄やその背景図柄を含めた画像を表示するために遊技領域１０ｂの略中央に設けられた装置である。本実施の形態１では、画像表示装置３４は液晶表示部３４ａを有して構成され、この液晶表示部３４ａには変動用の図柄を含めた画像の他にも文字情報等を表示することもできる。
【００４６】
液晶表示部３４ａに表示される図柄等の表示制御は、画像制御基板（画像制御部）３３によって行われる（図２も参照。）。画像制御基板３３は、後に詳説する制御装置２３ｂから送信された報知信号を受信すると、液晶表示部３４ａに「異常発生です」の文字情報を報知画像として大きく表示させる報知部としての機能も有する。
【００４７】
前面ガラス１８は、遊技盤１０に対して一定距離以上離間して配置された透明板である。前面ガラス１８は透明平板ガラスで形成され、遊技盤１０との間に球３６が流下する流下スペースを形成する機能、遊技者が前面ガラス１８を通して遊技盤１０を視認できるように視認性を確保する機能、遊技者が遊技盤１０に不正にアクセス（接触）できないように不正アクセスを防止する機能、を発揮する。
【００４８】
前面透明板としてはガラス素材の前面ガラス１８の他に、もちろん透明アクリル等の樹脂材料が使用されてもよい。また、本実施の形態１においては、前面ガラス１８が装飾枠２０に保持されるが、前面ガラス１８が遊技盤１０の前面に取り付けられて、遊技盤１０とともに機枠６に保持されるように構成されていてもよい。
【００４９】
装飾枠２０は、筐体枠４に対して前面開閉可能に揺動支持された枠体である。本実施の形態１においては、装飾枠２０はヒンジ部２２において機枠６とともに揺動支持されている。
【００５０】
装飾枠２０は、スピーカユニット２１を有している。スピーカユニット２１は、図２に示すように、スピーカグリル部２１ａ、スピーカ２１ｂ、配線２１ｃ、電流検知部（検知部）２３ａ、制御装置（制御部）２３ｂ、送電部２３ｃ、を有して大略構成されている。
【００５１】
スピーカグリル部２１ａは、装飾枠２０の上部左右に配置されて、その後方に配置されるスピーカを保護するためのものである。スピーカグリル部２１ａには、複数のスリット２１ｄが形成されている。スリット２１ｄは、スピーカ２１ｂから発生された音声をパチンコ機２前方に向けて効率よく伝達させるために形成されたものである。スピーカ２１ｂから発生された音声が、スリット２１ｄを通って、スピーカグリル部２１ａに邪魔されることなく前方に伝達するのである。
【００５２】
スピーカ２１ｂは、パチンコ機２の遊技状況に合わせた音楽や効果音等を発生して音声演出を行ったり、各種警告音やメッセージ音声等を発生して情報伝達を行ったりするためのものである。スピーカ２１ｂは、ボイスコイル２１ｅ、振動板２１ｆを有しており、ボイスコイル２１ｅに通電した際に発生する振動を振動板２１ｆによって空気中に伝播させて音声を発生するようになっている。
【００５３】
配線２１ｃは、ボイスコイル２１ｅに接続されて、送電部２３ｃから送電された電流をボイスコイル２１ｅに通電させるためのものである。パチンコ機２で遊技する遊技者の中には、パチンコ機２に対して、磁気や電波を用いた不正や、パチンコ機２内部に異物を侵入させるような不正を行おうとする者がいる。このような遊技者は、スピーカ２１ｂによる不正報知を妨害すべく、スピーカ２１ｂの破壊を行う場合がある。例えば、スピーカ２１ｂによる音声発生動作を行えなくするために、配線２１ｃを切断する場合がある。
【００５４】
例えば、スピーカグリル部２１ａに形成されたスリット２１ｄの隙間から異物を挿入し、振動板２１ｆを突き破り、ボイスコイル２１ｅに接続された配線２１ｃを切断するのである。
【００５５】
電流検知部２３ａは、後述する送電部２３ｃからボイスコイル２１ｅに向けて送電された電流を検知してスピーカ２１ｂの動作を検知するためのものである。電流検知部２３ａは、電流を検知すると検知信号を制御装置２３ｂに向けて送信する。
【００５６】
制御装置２３ｂは、遊技状況に合わせた音声演出をスピーカ２１ｂに行わせるべく、ボイスコイル２１ｅに向けた送電を送電部２３ｃに行わせる音声制御部としての機能を有する。また、制御装置２３ｂは、スピーカの動作が正常であるか否かを判断する機能も有する。具体的には、制御装置２３ｂは、送電部２３ｃからボイスコイル２１ｅに向けた送電が行われているにもかかわらず、検知信号を受信できない場合に、配線２１ｃが断線したものと判断（スピーカ２１ｂの動作異常と判断。）する。制御装置２３ｂは、配線２１ｃの断線を判断した際に報知信号を画像制御基板３３に向けて送信する機能を有する。
【００５７】
上述したように、報知信号の送信によって画像表示装置３４の液晶表示部３４ａには、「異常発生です」の表示がなされるので、配線２１ｃの断線という異常を付近の遊技者や、ホール員に報知することができる。スピーカ２１ｂの破壊そのものが景品球の不正獲得に直接つながるわけではないが、その後に不正行為が行われる蓋然性が高いため、配線２１ｃの断線時に異常報知を行うことにより未然に不正行為を防止することができる。
【００５８】
なお、本実施の形態１では、制御装置と送電部とを別々に構成しているが、これらの機能を１つの装置に発揮させるように構成しても構わない。
【００５９】
また、制御装置２３ｂによる報知信号の送信先は、画像制御基板３３以外にも様々に概念することができる。例えば、報知信号を払出制御基板に向けて送信するように構成してもよい。払出制御基板が報知信号を受信すると、景品球払出装置による球の払出しを禁止するように構成すれば、配線２１ｃの断線後に、入賞口２６，２８，３０に不正に球を入賞させても球の払出しがなされず、不正行為者が不正に利益を獲得（景品としての球を獲得。）することを防止することができる。
【００６０】
さらには、報知信号を発射制御基板に向けて送信するように構成してもよい。発射制御基板が報知信号を受信すると、発射ユニットによる球の発射を禁止するように構成すれば、配線２１ｃの断線後に、大入賞口３０を不正に開状態としても、球発射がなされず、大入賞口への入賞を防いで球の払出しを防ぐことができる。つまり、不正行為者が不正に利益を獲得（景品としての球を獲得。）することを防止することができる。
【００６１】
また、報知信号をパチンコ機２の外部に送信するように構成してもよい。例えば、複数のパチンコ機２が設置される遊技機ホールにおいて、遊技機ホール全体を中央管理するホールコンピュータ（図示せず。）に向けて報知信号を送信すれば、複数のパチンコ機２におけるスピーカ２１ｂの動作異常を一括管理することができる。報知信号を受信した際にホールコンピュータのディスプレイ（図示せず。）に対して、いずれのパチンコ機２のスピーカ２１ｂが動作異常となっているか把握可能に表示されるように構成すれば、複数のパチンコ機２におけるスピーカ２１ｂの動作異常をホールコンピュータのディスプレイ一箇所で確実に把握することができるようになる。
【００６２】
さらに、複数のパチンコ機２が整列配置される島設備５０（図３も参照。）に設けられた警告灯５２に向けて報知信号を送信して、警告灯５２を点灯させたりすることもできる。警告灯５２の点灯により、スピーカ２１ｂの動作異常を報知し、遊技機ホールのホール員がスピーカ２１ｂの動作異常を早期に把握できるようにすることができる。つまり、警告灯５２がスピーカ２１ｂの動作異常を報知する報知部としての機能を発揮するのである。
【００６３】
また、島設備５０に設けられた呼出ランプ５４に向けて報知信号を送信し、呼出ランプ５４を点灯させたりすることもできる。呼出ランプ５４は、島設備５０のパチンコ機２が配置される配置スペース５０ａごとに設けられるもので、遊技者がパチンコ機２の不具合発生時等にホール員を自身の遊技するパチンコ機２まで呼び出したい場合に点灯させるものである。したがって、スピーカ２１ｂの動作異常時に呼出ランプ５４が点灯すれば、そのパチンコ機２をホール員が確認しにくることとなるので、スピーカ２１ｂの動作異常をホール員に把握させることができる。不正行為の準備行為としてスピーカ２１ｂが破壊された場合であれば、呼出ランプ５４が点灯することでホール員がパチンコ機２を確認しにくるので、その後の不正行為を行いにくくし、不正行為の未然防止を図ることもできる。つまり、呼出ランプ５４がスピーカ２１ｂの動作異常を報知する報知部としての機能を発揮するのである。
【００６４】
［実施の形態２］
本発明の実施の形態２に係るパチンコ機２が有するスピーカユニット２１について、図面を用いて説明する。図４に示すようにスピーカユニット２１はスピーカグリル部２１ａ、スピーカ２１ｂ、配線２１ｃ、スリット２１ｄ、ボイスコイル２１ｅ、振動板２１ｆ、振動検知部１２３ａ、制御装置２３ｂ、送電部２３ｃを有して大略構成されている。
【００６５】
なお、本実施の形態２の説明において、実施の形態１と同様の構成については同様の符号を付し、その説明を省略する。
【００６６】
振動検知部（検知部）１２３ａは、振動板２１ｆ上に配置され、振動板２１ｆの振動を検知した際に、検知信号を制御装置２３ｂに向けて送信する機能を有する。制御装置２３ｂは、送電部２３ｃからボイスコイル２１ｅに向けた送電が行われているにもかかわらず、検知信号を受信できない場合に、スピーカ２１ｂが動作異常と判断する機能を有する。制御装置２３ｂは、スピーカ２１ｂが動作異常であると判断した際に報知信号を送信する機能も有する。
【００６７】
すなわち、本実施の形態２に係るスピーカユニット２１は、配線２１ｃが断線したことによる動作異常に対しても報知信号を送信できるし、振動板２１ｆが破られて振動板２１ｆが振動しなくなったことによる動作異常に対しても報知信号を送信することができるのである。
【００６８】
なお、制御装置２３ｂが断線を検知した際に、報知信号を様々な送信先に送信することが概念できる点についても実施の形態１と同様である。
【００６９】
また、スピーカ２１ｂの動作異常を検知する手段として、振動板２１ｆの前方にマイク等の音声検知部（検知部。図示せず。）を配置することもできる。音声検知部がスピーカ２１ｂから発生された音声を検知した際に検知信号を制御装置２３ｂに向けて送信するように構成すれば、送電部２３ｃからボイスコイル２１ｅに向けた送電が行われているにもかかわらず、検知信号を受信できない場合に、スピーカ２１ｂが動作異常であることを制御装置２３ｂによって検知することができる。
【００７０】
以上、本発明の好ましい実施の形態を説明したが、本発明はこれらに限定されるものではなく、その要旨の範囲内で様々な変形や変更が可能である。
【図面の簡単な説明】
【００７１】
【図１】本発明の実施の形態１に係るパチンコ機の外観斜視図である。
【図２】図１に示すパチンコ機が有するスピーカユニットの概略構成を示す概略ブロック図である。
【図３】図１に示すパチンコ機が整列配置された島設備の外観斜視図である。
【図４】本発明の実施の形態２に係るパチンコ機が有するスピーカユニットの概略構成を示す概略ブロック図である。
【符号の説明】
【００７２】
２：パチンコ機（遊技機）
４：筐体枠（枠体）
６：機枠（枠体）
８：皿枠（枠体）
１０：遊技盤
１０ａ：遊技盤面
１０ｂ：遊技領域
１４ａ：上皿
１４ｂ：下皿
１４ｃ：球排出ボタン
１８：前面ガラス（前面透明板）
２０：装飾枠（枠体）
２１：スピーカユニット
２１ａ：スピーカグリル部
２１ｂ：スピーカ
２１ｃ：配線
２１ｄ：スリット
２１ｅ：ボイスコイル
２１ｆ：振動板
２２：ヒンジ部（揺動指示部）
２３ａ：電流検知部（検知部）
２３ｂ：制御装置（制御部）
２３ｃ：送電部
２４：レール飾り
２４ａ：内側面
２６：普通入賞口
２８：始動入賞口
３０：大入賞口
３２：アウト口
３３：画像制御基板（画像制御部）
３４：画像表示装置（報知部）
３４ａ：液晶表示部
３６：球（遊技媒体）
４２：発射ハンドル
４３：保持部
５０：島設備
５０ａ：配置スペース
５２：警告灯（報知部）
５４：呼出ランプ（報知部）
１２３ａ：振動検知部（検知部）
【図１】
0004716382.tif 000002
【図２】
0004716382.tif 000003
【図３】
0004716382.tif 000004
【図４】
0004716382.tif 000005